(57)【要約】【課題】手指や器具類の消毒作業を行う際の使用勝手を向上することができる消毒装置を提供する。【解決手段】消毒装置１は、薬剤Ｍを収容する薬剤タンク３３と、希釈液である水Ｗを収容する水タンク３０と、薬剤タンク３３の水タンク３０の希釈液を送るための第１送液部Ｒ１と、第１送液部Ｒ１により送られた薬剤Ｍを純水ＰＷにより希釈することで得られる消毒剤を収容する消毒剤収容部であるバッファタンク４０と、バッファタンク４０の消毒液Ｆを送るための第２送液部Ｒ２と、第２送液部Ｒ２により送られた消毒剤Ｆを噴射する噴射部１９と、薬剤タンク３３と、バッファタンク４０と噴射部１９と第１送液部Ｒ１と第２送液部Ｒ２を保持する本体部２を備える。【選択図】図２
2014161701.tif 000002
【特許請求の範囲】
【請求項１】
作業者の手指と器具類を消毒するための消毒装置であって、
薬剤を収容する薬剤収容部と、
希釈液を収容する希釈液収容部と、
前記薬剤収容部の前記薬剤と前記希釈液収容部の前記希釈液を送るための第１送液部と、
前記第１送液部により送られた前記薬剤を前記第１送液部により送られた前記希釈液により希釈することで得られる消毒剤を収容する消毒剤収容部と、
前記消毒剤収容部の前記消毒液を送るための第２送液部と、
前記第２送液部により送られた前記消毒剤を噴射する噴射部と、
前記薬剤収容部と前記希釈剤収容部と前記消毒剤収容部と前記噴射部と前記第１送液部と前記第２送液部を保持する本体部と、
を備えることを特徴とする消毒装置。
【請求項２】
前記噴射部は、前記本体部の上部に配置され、下方に前記消毒剤を噴射する上部噴射ノズルと、上方に前記消毒剤を噴射する下部噴射ノズルを有することを特徴とする請求項１に記載の消毒装置。
【請求項３】
前記上部噴射ノズルと前記下部噴射ノズルの間を変更するために、前記上部噴射ノズルの高さ位置を調整する高さ調整部を有することを特徴とする請求項２に記載の消毒装置。
【請求項４】
前記本体部の上面部には、前記上部噴射ノズルと前記下部噴射ノズルから噴射された前記消毒剤を受ける消毒剤受け部が、設けられていることを特徴とする請求項２または３に記載の消毒装置。
【請求項５】
前記希釈液収容部は前記希釈液としての水を収容しており、前記水を純水にするカートリッジを有していることを特徴とする請求項１ないし４のいずれかに記載の消毒装置。
【発明の詳細な説明】
【技術分野】
【０００１】
本発明は、作業台を用いて実験や作業の際に、作業者の手指および器具類を消毒するための消毒装置に関する。
【背景技術】
【０００２】
作業者が、例えばクリーンベンチ等の作業台内で、器具類を用いて実験や作業を行おうとする場合には、作業者は、例えば無菌作業等の作業前に、消毒装置を用いて手指の消毒と作業台内に搬入しようとする器具類を消毒する必要がある。
【０００３】
このような消毒装置は、特許文献１に開示されており、この消毒装置は、消毒剤として電気分解生成水等の強酸性水等で処理した水を、半球凸面状のノズル先端から手指等に供給することで、消毒と殺菌ができるようになっている。
【先行技術文献】
【特許文献】
【０００４】
【特許文献１】特開平１０−７１１８８号公報
【発明の概要】
【発明が解決しようとする課題】
【０００５】
ところが、上述した特許文献１に記載の消毒装置では、予め調製済みの消毒剤を収容している給水タンクと、消毒に使用した使用済みの廃水を回収する廃水タンクを備えているだけであり、給水タンクからの消毒剤を、ノズル先端から手指等に供給する機能だけしかない。
【０００６】
このため、作業者は、予め消毒剤を調製して給水タンクに収容しなければならず、消毒剤の調製作業と収容作業が煩わしいことから、消毒装置の使用勝手が悪い。
【０００７】
本発明は、上記に鑑みてなされたもので、その目的とするところは、手指や器具類の消毒作業を行う際の使用勝手を向上することができる消毒装置を提供することにある。
【課題を解決するための手段】
【０００８】
上記課題を達成するため、請求項１に記載の消毒装置は、作業者の手指と器具類を消毒するための消毒装置であって、薬剤を収容する薬剤収容部と、希釈液を収容する希釈液収容部と、前記薬剤収容部の前記薬剤と前記希釈液収容部の前記希釈液を送るための第１送液部と、前記第１送液部により送られた前記薬剤を前記第１送液部により送られた前記希釈液により希釈することで得られる消毒剤を収容する消毒剤収容部と、前記消毒剤収容部の前記消毒液を送るための第２送液部と、前記第２送液部により送られた前記消毒剤を噴射する噴射部と、前記薬剤収容部と前記希釈剤収容部と前記消毒剤収容部と前記噴射部と前記第１送液部と前記第２送液部を保持する本体部と、を備えることを要旨とする。
【０００９】
請求項１の記載の消毒装置では、本体部では、薬剤収容部の薬剤と希釈液収容部の希釈液を混合することで、予め定めた消毒剤を作って消毒剤収容部にこの消毒剤を収容しておくことができる。そして、消毒剤は、噴射部から手指や器具類に噴射することで消毒できる。薬剤と希釈液を用意して薬剤収容部と希釈液収容部にそれぞれ収容しておけば、作業者が直接消毒剤を作る必要が無く、手指や器具類の消毒作業を行う際の使用勝手を向上することができる。
【００１０】
請求項２に記載の消毒装置では、前記噴射部は、前記本体部の上部に配置され、下方に前記消毒剤を噴射する上部噴射ノズルと、上方に前記消毒剤を噴射する下部噴射ノズルを有する。
【００１１】
請求項２の記載の消毒装置では、上部噴射ノズルと下部噴射ノズルとの両方から、消毒剤を手指や器具類に噴射できるので、手指や器具類を消毒することができるので、消毒作業の能率が上がる。
【００１２】
請求項３に記載の消毒装置では、前記上部噴射ノズルと前記下部噴射ノズルの間を変更するために、前記上部噴射ノズルの高さ位置を調整する高さ調整部を有する。
【００１３】
請求項３の記載の消毒装置では、例えば器具類の大きさに応じて、上部噴射ノズルの高さ位置を調整することで、器具類の大きさに左右されずに器具類を消毒できるので、消毒作業の能率が上がる。
【００１４】
請求項４に記載の消毒装置では、前記本体部の上面部には、前記上部噴射ノズルと前記下部噴射ノズルから噴射された前記消毒剤を受ける消毒剤受け部が、設けられている。
【００１５】
請求項４の記載の消毒装置では、使用済みの消毒剤は、消毒剤受け部により受けることで、消毒剤が周囲や床面に飛び散ることが無くなるので、飛び散った消毒剤を拭き取る作業が不要になる。
【００１６】
請求項５に記載の消毒装置では、前記希釈液収容部は前記希釈液としての水を収容しており、前記水を純水にするカートリッジを有している。
【００１７】
請求項５の記載の消毒装置では、カートリッジは、水を純水に変えることができるので、通常の水道水などの水を希釈液として使用できる。
【発明の効果】
【００１８】
本発明によれば、手指や器具類の消毒作業を行う際の使用勝手を向上することができる消毒装置を提供できる。
【図面の簡単な説明】
【００１９】
【図１】本発明の消毒装置の実施形態が、作業台の横に配置されている例を示す斜視図である。
【図２】図１の消毒装置を拡大して示す斜視図である。
【図３】図２に示す消毒装置を示す一部断面を有する側面図である。
【図４】図２に示す消毒装置の本体部に配置されているシステムの構成例を示す図である。
【図５】消毒装置を用いて、作業者の手指や実験器具等の器具類を消毒する手順の例を示す図である。
【図６】本発明の消毒装置の別の実施形態を示す図である。
【発明を実施するための形態】
【００２０】
以下、図面を用いて、本発明を実施するための形態(以下、実施形態と称する)を説明する。
【００２１】
図１は、本発明の消毒装置の実施形態が、作業台の横に配置されている例を示す斜視図である。
【００２２】
図１に示す消毒装置１は、例えば作業台２００の右側に配置することで、作業者が作業台２００を使用して、例えば微生物等の試料の無菌操作作業を行う際に、この作業に先立って作業者の手指や器具類を、例えば７０％アルコール水溶液を用いて消毒するのに用いられる。
【００２３】
この作業台２００としては、例えば所謂クリーンベンチや安全キャビネット等である。これらの作業台は、被処理物を作業空間において処理する際に、作業者が被処理物の影響を受けないように作業空間を隔離する構造を有している。図１に示す例では、作業台２００は、クリーンベンチである。クリーンベンチとは、規定の空気清浄度を保つようにした囲い付きの作業台である。
【００２４】
図２は、図１の消毒装置１を拡大して示す斜視図である。図３は、図２に示す消毒装置１を示す一部断面を有する側面図である。
【００２５】
図２に示すように、消毒装置１は、作業台２００とは別体の構造体になっている、所謂スタンドアローン型の消毒装置である。この消毒装置１は、図１に例示するように、作業台２００の右側の壁面２１２の横に置かれている。
【００２６】
図２と図３に示す消毒装置１は、本体部２と、移動用の複数個のキャスタ３を有している。これらのキャスタ３は、本体部２の底面部１２の四隅の位置に取り付けられている。これにより、作業者は、消毒装置１を自由に移動して、例えば作業台２００の右側の壁面２１２の横の位置に、容易に位置決めして使用することができる。
【００２７】
消毒装置１の本体部２は、好ましくはステンレスやアルミニウム等の金属製の箱型の部材であり、本体部２は、上面部１１と、底面部１２と、左右の側面部１３，１４と、前面部１５と、背面部１６と、上部アーム部２０を有している。図２と図３で示すＸ方向は、本体部２の幅方向であり、Ｙ方向は、本体部２の奥行方向であり、Ｚ方向は、本体部２の上下方向である。
【００２８】
図２と図３に示すように、上部アーム部２０は、本体部２の上面部１１の上部に離して位置されている。上部アーム部２０は、図３に示すようにほぼＬ字型を有する部材であり、噴射ノズル保持部材２０Ａと、支持部材２０Ｂを有している。噴射ノズル保持部材２０Ａは、Ｙ方向に沿って配置されており、噴射ノズル保持部材２０Ａの下面２１Ｃ側には、上部噴射ノズル２１が下向けて設けられている。この上部噴射ノズル２１は、本体部２の上面部１１に向けて消毒剤Ｆを噴射することができる。上部噴射ノズル２１と下部噴射ノズル２２は、作業者の手指や器具類等に消毒剤Ｆを噴射するための噴射部１９を構成している。
【００２９】
図３に示すように、上部アーム部２０の支持部材２０Ｂは、本体部２の背面部１６に固定されている高さ調整部２３にはめ込まれている。例えば支持部材２０Ｂは、突起部２０Ｄを有しており、高さ調整部２３には、複数の凹部２４がＺ方向に沿って間隔をおいて設けられている。この支持部材２０Ｂの突起部２０Ｄは、高さ調整部２３のいずれかの凹部２４にはまり込むことで、上部アーム部２０のＺ方向に関する高さ位置を、複数段階で手動により調整することができる。
【００３０】
これにより、作業者が、手動により上部アーム部２０のＺ方向に関する高さ位置を調整することで、作業者の手指から腕の範囲を消毒する場合や、使用する器具類を消毒する場合に器具類の大きさに応じて、上部アーム部２０のＺ方向に関する高さを調整できる。従って、器具類のサイズが大きくても、器具類を消毒剤Ｆにより容易に消毒できる。
【００３１】
本体部２の上面部１１は、消毒剤Ｆを噴射するための下部噴射ノズル２２と、消毒剤受け部２５が設けられている。消毒剤受け部２５は、上面部１１において、Ｚ方向の下側に凹むようにして、トレイ状に形成されている。下部噴射ノズル２２は、消毒剤受け部２５の中央位置に配置されており、上向きに消毒剤Ｆを噴射できる。上部噴射ノズル２１と下部噴射ノズル２２は、対応する位置に向き合っている。これにより、上部噴射ノズル２１と下部噴射ノズル２２から噴射された消毒剤Ｆは、本体部２の外にこぼれないようにして使用済みの消毒剤Ｆとして受けるようになっている。このため、使用済みの消毒剤Ｆは、本体部２の外側に飛散することがなく、床面等を汚すことが無い。
【００３２】
図４は、図２に示す本体部２に配置されているシステムの構成例を示している。図４に示すシステム構成例では、配管系と電気配線系を明確に区別するために、水と薬剤および消毒剤を通す配管は二重線で示しており、電気信号配線は単線で示している。
【００３３】
図４において、本体部２内には、水タンク３０と、純水製造カートリッジ３１，３２と、薬剤タンク３３が、好ましくは交換可能に収容されている。薬剤タンク３３は、消毒剤原液の薬剤Ｍを収容するための薬剤収容部である。水タンク３０は、希釈液としての水Ｗを収容するための希釈液収容部である。水タンク３０には、希釈液としての水Ｗを、本体部２の外側から随時追加することができる。
【００３４】
純水製造カートリッジ３１，３２は、水タンク３０に対して配管３０Ｂを通じて接続されている。水タンク３０から供給される水Ｗは、純水製造カートリッジ３１，３２によりろ過して純水ＰＷに変えるためのフィルタである。水タンク３０にはエア導入口３０Ａが設けられていることで、水タンク３０には外部のエアを導入することで、水タンク３０内の水Ｗをカートリッジ３１，３２側にスムーズに送ることができる。
【００３５】
図４に示すように、２つのポンプＰ１、Ｐ２が、本体部２内に配置されている。ポンプＰ１は、薬剤タンク３３に対して配管３３Ａにより接続されている。純水製造カートリッジ３２は、配管３２Ａを通じてポンプＰ２に接続されている。薬剤タンク３３には、エア導入口３３Ｂが設けられていることで、薬剤タンク３３には外部のエアを導入することで、薬剤タンク３３内の薬剤ＭをポンプＰ１側にスムーズに送ることができる。
【００３６】
図４に示す２つのポンプＰ１、Ｐ２は、配管３４，３５を介して、それぞれ電磁弁３６，３７に接続されている。電磁弁３６（Ｄ１）は、配管３８と薬剤注入用流量計ＳＦ１を介して、バッファタンク４０に接続されている。同様にして、電磁弁３７（Ｄ２）は、配管３９と純水注入用流量計ＳＦ２を介して、バッファタンク４０に接続されている。
【００３７】
このバッファタンク４０は、指定濃度に希釈された消毒剤Ｆを貯蔵あるいは備蓄するための容器である。ポンプＰ１、Ｐ２と、電磁弁３６，３７と、薬剤注入用流量計ＳＦ１と純水注入用流量計ＳＦ２は、薬剤タンク３３内の薬剤Ｍと水タンク３０とカートリッジ３１，３２を経た純水ＰＷとを、バッファタンク４０内に送って、予め定めた濃度に希釈された消毒剤Ｆを作製するための第１送液部Ｒ１を構成している。
【００３８】
これにより、図４の制御部１００の指令により、ポンプＰ２が駆動すると、水タンク３０内の水Ｗは、純水製造カートリッジ３１，３２を通ることで純水ＰＷに変わる。作製された純水ＰＷは、配管３２Ａと、ポンプＰ２と、配管３５と，電磁弁（Ｄ２）３７と、配管３９と、そして純水注入用流量計ＳＦ２を介して、予め定めた量だけ、バッファタンク４０内に供給することができる。
【００３９】
一方、制御部１００の指令により、ポンプＰ１が駆動すると、薬剤タンク３３内の薬剤Ｍは、配管３３Ａと、ポンプＰ１と、配管３４と、電磁弁（Ｄ１）３６、配管３８と、そして薬剤注入用流量計ＳＦ１を介して、予め定めた量だけ、バッファタンク４０内に供給することができる。なお、ポンプＰ２が作動すると、薬剤タンク３３内には、ポンプＰ２からは配管３３Ｂを通じてエアを送ることができるので、薬剤タンク３３内の薬剤ＭをポンプＰ１側に吸引し易くなる。
【００４０】
これにより、バッファタンク４０内では、予め定めた量の消毒剤原液の薬剤Ｍと、予め定めた量の希釈液としての純水ＰＷとを混合することにより、バッファタンク４０内には、指定濃度の消毒剤Ｆ、例えば７０％アルコール水溶液を調製して貯蔵しておくことができる。このように、バッファタンク４０は、予め定めた濃度の消毒剤Ｆを収容するための消毒剤収容部である。
【００４１】
図４に示すように、薬剤タンク３３には、タンク水位センサＳＬ１が配置され、水タンク３０には、タンク水位センサＳＬ２が配置され、そしてバッファタンク４０には、タンク水位センサＳＬ３が配置されている。制御部１００は、タンク水位センサＳＬ１〜ＳＬ３からの水位レベル信号を受けることにより、薬剤タンク３３内の薬剤Ｍの貯蔵レベルと、水タンク３０内の水Ｗの貯蔵レベルと、そしてバッファタンク４０内の消毒剤Ｆの貯蔵レベルを、常時監視することができる。
【００４２】
もし、薬剤タンク３３内の薬剤Ｍの貯蔵レベルと、水タンク３０内の水Ｗの貯蔵レベルと、そしてバッファタンク４０内の消毒剤Ｆの貯蔵レベルのいずれか１つが、予め定めたレベルよりも低下した場合には、制御部１００は、警報を出す警報部２５０に指令をして、警報を出すようになっている。この警報部２５０は、例えば音声で警報を発するスピーカや、音で警報を発するブザーなどである。
【００４３】
図４に示すバッファタンク４０は、配管４１を通じてポンプＰ３に接続され、ポンプＰ３は、配管４２と濾過滅菌フィルタ４３を通じて、電磁弁４４（Ｄ３）に接続されている。この電磁弁４４は、配管４５，４６とノズル流量監視用流量計ＳＦ３を通じて、それぞれ上部噴射ノズル２１と下部噴射ノズル２２に接続されている。ポンプＰ３と、フィルタ４３と、電磁弁４４と、ノズル流量監視用流量計ＳＦ３は、バッファタンク４０内の消毒剤Ｆを、上部噴射ノズル２１と下部噴射ノズル２２に送液するための第２送液部Ｒ２を構成している。
【００４４】
図４の制御部１００の指令により、ポンプＰ３が駆動すると、バッファタンク４０内の消毒剤Ｆは、ポンプＰ３と、配管４２と、濾過滅菌フィルタ４３と、電磁弁４４と、配管４５，４６とノズル流量監視用流量計ＳＦ３を介して、噴射部１９の上部噴射ノズル２１と下部噴射ノズル２２から噴射することができる。上部噴射ノズル２１と下部噴射ノズル２２から噴射された消毒剤Ｆは、使用済みの消毒液として、本体部２の外に飛散しないようにして消毒剤受け部２５に集められて、例えば回収タンク４７に回収できるようになっている。この回収タンク４７は、本体部２内にあっても良いし、本体部２の外部にあっても良い。
【００４５】
図２に示すように、筒状の純水製造カートリッジ３１，３２と角柱状の薬剤タンク３３は、本体部２の内部において、前側に並べて配置されている。角柱状の水タンク３０とバッファタンク４０は、本体部２の内部において、後側に並べて配置されている。これらの純水製造カートリッジ３１，３２と薬剤タンク３３と水タンク３０とバッファタンク４０は、例えば左側の側面部１３に開閉ドアを設けて、側面部１３を開閉自在に構成することで、本体部２内から取り出して交換したり、メンテナンスを行うことができる。
【００４６】
図４に示す制御部１００は、電源部１０１に電気的に接続されており、電源部１０１は、商用交流電源１０２から電源電圧を所定の電圧に変換して、制御部１００に電源供給する。電源部１０１は、起動用の主電源スイッチ１０３に接続されている。図２に示すように、噴射ノズル保持部材２０Ａの上面には、消毒動作開始スイッチ１０４が配置されている。制御部１００には、消毒動作開始スイッチ１０４と足踏みスイッチ１０５が接続されており、主電源スイッチ１０３を押した後に、この開始スイッチ１０４を押すか足踏みスイッチ１０５を足で踏み込むことにより、制御部１００は、ポンプＰ３と電磁弁４４を駆動して、バッファタンク４０内の消毒剤Ｆを、上部噴射ノズル２１と下部噴射ノズル２２側に供給するようになっている。
【００４７】
図１に戻ると、クリーンベンチである作業台２００は、箱状の囲い部分２０１を有し、この囲い部分２０１の前面部２０９には、前面開口部２０２が設けられている。開閉シャッタ２０３は中が見えるように透明板であり、開閉シャッタ２０３により開前面開口部２０２を開閉可能になっている。この開閉シャッタ２０３は、図示しない駆動部のモータを駆動することで、電動によりＺ方向（上下方向）に移動可能になっている。
【００４８】
囲い部分２０１の内部には、卓状の作業スペース２１０を有している。囲い部分２０１は、前面部２０９と、左右の壁面２１１，２１２と、奥の壁面２１３と、天井面２１４と、底面２１５を有している。作業スペース２１０内では、天井面２１４の内面には照明器具が取り付けられている。前面開口部２０２付近は、囲い部分２０１の内部と外部が、気流によるエアカーテンで仕切られている。
【００４９】
囲い部分２０１では、空気から微粒子を除去するＨＥＰＡフィルタ（高性能フィルタ）等で空気を清浄化して送風し続けるようになっており、前面開口部２０２を通じて囲い部分２０１の内部からＨＥＰＡフィルタを通して外部に向かって空気が吹き出す。この作業台２００は、囲い部分２０１内の作業空間だけをクリーン化して、局所的に空気清浄度を高く保持できるので、作業台２００を配置している部屋全体をクリーン化するのに比べて低コストである。
【００５０】
次に、上述した消毒装置１の使用例を、図５を参照して説明する。図５は、消毒装置１を用いて、作業者の手指や実験器具等の器具類を消毒して、作業台２００により作業する手順の例を示している。
【００５１】
作業者は、図２と図３に示す消毒装置１を、本体部２のキャスタ３を用いて自由に移動して、例えば図１に示すように作業台２００の右側の壁面２１２の横の位置に、容易に位置決めすることができる。図４に示すバッファタンク４０内には、すでに予め定めた濃度の、例えば７０％アルコール水溶液である消毒剤Ｆが収容されている。
【００５２】
一方、作業者は、図１に示す作業台２００における前準備として、作業台２００内の図示しないＵＶ（紫外線）ランプを消して、蛍光灯と点灯し、ファンを回す。そして、作業台２００の開閉シャッタ２０３を少し上げて、前面開口部２０２を、手を通して操作に差し障りが無い程度に開ける。作業者は、手指、腕を消毒後、作業台２００の作業スペース２１０を、例えば７０％エタノールのような消毒液を用いて、きれいに拭いて消毒しておく。
【００５３】
図１に示す消毒装置１に戻ると、図５のステップＳＴ１では、作業者が、図２と図３に示す主電源スイッチ１０３を押して消毒装置１を起動して、消毒動作開始スイッチ１０４を押すか、足踏みスイッチ１０５を足で踏み込む。図４の制御部１００は、ポンプＰ３と電磁弁４４を駆動して、バッファタンク４０内の消毒剤Ｆを、上部噴射ノズル２１と下部噴射ノズル２２に供給するので、図３に示すように、消毒剤Ｆは、上部噴射ノズル２１と下部噴射ノズル２２の両方から噴射される。
【００５４】
これにより、図３に示すように、作業者は、手指を上部噴射ノズル２１と下部噴射ノズル２２の間に挿入することで、手指から腕の範囲を消毒剤Ｆ（７０％アルコール水溶液）により、確実に消毒することができる。そして、図５のステップＳＴ２では、作業者は、図１に示す作業台２００内で使用する器具類を上部噴射ノズル２１と下部噴射ノズル２２の間に挿入することで、これらの器具類を消毒剤Ｆ（７０％アルコール）により、確実に消毒することができる。
【００５５】
次に、図５のステップＳＴ３では、図１に示す作業台２００の前面の開閉シャッタ２０３を上げて前面開口部２０２を開けて、ステップＳＴ４では、作業者は、手で器具類を作業台２００の作業スペース２１０内に搬入した後、開閉シャッタ２０３を下げて前面開口部２０２を閉じる。この搬入の際には、手も作業スペース２１０内に入る。
【００５６】
図５のステップＳＴ５では、作業者は、再び手指を上部噴射ノズル２１と下部噴射ノズル２２の間に挿入することで、手指から腕の範囲を消毒剤Ｆにより、確実に消毒する。そして、ステップＳＴ６では、図１に示す作業台２００の前面の開閉シャッタ２０３を上げて前面開口部２０２を開けて、作業者は必要な実験や作業を行う。
【００５７】
ところで、図４の制御部１００は、タンク水位センサＳＬ１〜ＳＬ３からの水位レベル信号を受けることにより、薬剤タンク３３内の薬剤Ｍの貯蔵レベルと、水タンク３０内の水Ｗの貯蔵レベルと、そしてバッファタンク４０内の消毒剤Ｆの貯蔵レベルを、常時監視している。
【００５８】
このため、薬剤タンク３３内の薬剤Ｍの貯蔵レベルが予め定めたレベルよりも下がれば、警報部２５０は薬剤Ｍの追加要求の警報を出すことができる。水タンク３０内の水Ｗの貯蔵レベルが予め定めたレベルよりも下がれば、警報部２５０は水Ｗの追加要求の警報を出すことができる。そして、バッファタンク４０内の消毒剤Ｆの貯蔵レベルが予め定めたレベルよりも下がれば、警報部２５０は消毒剤Ｆの追加作製の要求の警報を出すとともに、制御部１００は、図４の第１送液部Ｒ１を作動して薬剤タンク３３内の薬剤Ｍと、水タンク３０内の水Ｗから製造した純水ＰＷとを、バッファタンク４０内に送ることで、例えば７０％アルコール水溶液Ｆをバッファタンク４０内に貯蔵することができる。
【００５９】
上述したように、本発明の実施形態の消毒装置１を用いると、消毒剤Ｆは、消毒装置１の内部で調製されてバッファタンク４０において貯蔵されているので、従来のように作業台で実験等の作業を行う度に、消毒剤を調製して手指から腕までの範囲と、器具類に対して、手動で消毒剤を噴霧して消毒するといった煩わしい作業を行う必要が無くなる。すなわち、従来では、作業者は、純水の調製を行い、この純水と消毒剤の原液を希釈して混合して消毒剤を作製する作業を行った後に、消毒剤を噴霧容器（スプレ容器）内に入れる。そして、作業者は、作製した消毒剤を調製して手指から腕までの範囲と、器具類に対して、手動で消毒剤を噴霧容器から噴霧して消毒する必要がある。しかも、噴霧した消毒剤が付近に飛散するので、床面が消毒剤で汚れてしまう。
【００６０】
従来、消毒剤を入れた噴霧容器を用意して、作業者が、手指から腕までの範囲と、器具類に対して噴霧容器内の消毒剤を手動で噴霧する際には、作業台の付近に配置されたキャビネットの上に消毒が必要な器具類を置いて消毒作業を行っている。もし、作業台の付近にこのキャビネットを置いていない場合には、器具類を消毒する度に器具類を作業台に取りにいかなければならないで、作業動線が長くなってしまう。
【００６１】
従来では、消毒剤を噴霧容器からスプレー噴霧するだけではなく、消毒剤を液体で使用するために脱脂綿に消毒剤を浸して器具類を消毒する場合に、脱脂綿用の液体の消毒剤を準備するのが煩わしい。複数人の作業者が、噴霧容器内の消毒剤を使用すると、消毒剤の原液が不足する場合がある。
【００６２】
本発明の実施形態の消毒装置１を用いることにより、次のような効果がある。作業者は、手指や器具類に消毒剤Ｆを自動的に噴霧することができる。しかも、図３に示すように、作業者が、手動により上部アーム部２０のＺ方向に関する高さ位置を調整することで、作業者の手指から腕の範囲を消毒する場合は当然のことながら、使用する器具類を消毒する場合に器具類の大きさに応じて、上部アーム部２０のＺ方向に関する高さを上げたり下げたりして上部アーム部２０の高さの調整をすることで、手指から腕の範囲や器具類を消毒剤Ｆにより、確実に消毒できる。
【００６３】
消毒に使用した消毒剤Ｆは、図２と図３に示すように、上面部１１の消毒剤受け部２５により受けて、図４に示す回収タンク４７に回収することができる。これにより、使用済みの消毒剤Ｆが周囲に飛散して、床面を汚してしまうことを防止できる。
【００６４】
ところで、本発明の実施形態の消毒装置１は、上述した構成に限らず、次のような機能を付加することができる。
【００６５】
図６は、本発明の消毒装置の別の実施形態を示している。
【００６６】
図６に示す消毒装置１Ａの構成要素が、図２に示す消毒装置１の構成要素と同様であるところは、同じ符号を記してその説明を利用する。図６に示す消毒装置１Ａには、図２に示す消毒装置１に対して、さらに器具類の一時保管部３００と、ガン式のスプレー噴霧器４００と、消毒剤供給部５００と、脱脂綿置き部５５０を備えていることである。
【００６７】
図６に示す器具類の一時保管部３００は、消毒する器具類を一時的に置いておくための棚である。これにより、複数の器具を効率良く消毒できるので、消毒作業効率を上げることができる。
【００６８】
ガン式のスプレー噴霧器４００を設けることにより、図５に示すバッファタンク４０内の消毒液Ｆを直接噴霧できるようにすることにより、消毒装置１から離れた位置でも、手指や器具類を消毒することができる。消毒剤供給部５００は、供給コックを押すことにより、図５に示すバッファタンク４０内の消毒剤Ｆを直接取り出して、例えば脱脂綿等のスプレーできないものに消毒液Ｆを含ませることができる。
【００６９】
脱脂綿置き部５５０は、消毒剤Ｆを含ませるための脱脂綿を置くための部分である。消毒剤Ｆを含ませた脱脂綿は、消毒剤Ｆを噴霧できない器具等に対して脱脂綿でふき取る際に使用できる。
【００７０】
本発明の実施形態の消毒装置１は、作業者の手指と器具類を消毒するための消毒装置であって、薬剤を収容する薬剤収容部と、希釈液を収容する希釈液収容部と、薬剤収容部の薬剤と希釈液収容部の希釈液を送るための第１送液部と、第１送液部により送られた薬剤を希釈液により希釈することで得られる消毒剤を収容する消毒剤収容部と、消毒剤収容部の消毒液を送るための第２送液部と、第２送液部により送られた消毒剤を噴射する噴射部と、薬剤収容部と希釈剤収容部と消毒剤収容部と噴射部と第１送液部と第２送液部を保持する本体部と、を備える。
【００７１】
これにより、本体部２では、薬剤タンク３３の薬剤Ｍと水タンク３０の希釈液である水Ｗの純水ＰＷを混合することで、予め定めた消毒剤Ｆを作って消毒剤収容部であるバッファタンク４０に、この消毒剤Ｆを収容しておくことができる。そして、消毒剤Ｆは、噴射部１９から手指や器具類に噴射することで消毒できる。薬剤Ｍと希釈液である水Ｗを用意して薬剤タンク３３と水タンク３０にそれぞれ収容しておけば、作業者が直接消毒剤Ｆを作る必要が無く、手指や器具類の消毒作業を行う際の使用勝手を向上することができる。
【００７２】
噴射部１９は、本体部の上部に配置され、下方に消毒剤を噴射する上部噴射ノズル２１と、上方に消毒剤を噴射する下部噴射ノズル２２を有する。これにより、上部噴射ノズルと下部噴射ノズルとの両方から、消毒剤を手指や器具類に噴射できるので、手指や器具類を消毒することができるので、消毒作業の能率が上がる。
【００７３】
上部噴射ノズル２１と下部噴射ノズル２２の間を変更するために、上部噴射ノズルの高さ位置を調整する高さ調整部２３を有する。これにより、例えば器具類の大きさに応じて、上部噴射ノズルの高さ位置を調整することで、器具類の大きさに左右されずに器具類を消毒できるので、消毒作業の能率が上がる。
【００７４】
本体部２の上面部１１には、上部噴射ノズルと下部噴射ノズルから噴射された消毒剤を受ける消毒剤受け部が、設けられている。
【００７５】
請求項４の記載の消毒装置では、使用済みの消毒剤は、消毒剤受け部により受けることで、消毒剤が周囲や床面に飛び散ることが無くなるので、飛び散った消毒剤を拭き取る作業が不要になる。
【００７６】
希釈液収容部である水タンク３０は希釈液としての水Ｗを収容しており、水Ｗを純水ＰＷにするカートリッジ３１，３２を有している。これにより、カートリッジ３１，３２は、水を純水に変えることができるので、通常の水道水などの水を希釈液として使用できる。
【００７７】
以上、実施形態を挙げて本発明を説明したが、各実施形態は一例であり、特許請求の範囲に記載される発明の範囲は、発明の要旨を逸脱しない範囲内で種々変更できるものである。
【００７８】
例えば、図２と図３に示す上部アーム部２０の高さ位置の調整は、手動でなく、モータ等の駆動部を用いて、自動的に行うこともできる。
【００７９】
図示の実施形態では、指定濃度の消毒剤Ｆは、例えば７０％アルコール水溶液を採用しているのが、これに限らず、次のような消毒剤を調製しても良い。消毒剤（消毒液）Ｆは、アルコール（６０〜９５％）、例えばイソプロパノール、エタノール、Ｎ−プロパノール、クロロキシレノール（０．３〜３．７５％）、ヨードホール（７．５〜１０％）、第４級アンモニア化合物（塩化ベンザルコニウム）、トリクロサン（０．２〜２％）等であり、医療現場や研究現場で使用することができる。
【００８０】
なお、本実施形態では、消毒剤を噴霧して、有害微生物等の除去を含めた殺菌、消毒する場合について、説明したが、噴射量を多くして付着物を流し落とし洗浄して消毒するようにしても良い。
【符号の説明】
【００８１】
１      消毒装置
２      本体部
３      キャスタ
１９    噴射部
２０    上部アーム部
２１    上部噴射ノズル
２２    下部噴射ノズル
２３    高さ調整部
２５    消毒剤受け部
３０    水タンク（希釈液収容部）
３１，３２    純水製造カートリッジ
３３    薬剤タンク（薬剤収容部）
４０    バッファタンク（消毒剤収容部）
２００  作業台
Ｗ      水（希釈液）
ＰＷ    純水（希釈液）
Ｆ      消毒剤
Ｍ      薬剤
Ｒ１    第１送液部
Ｒ２    第２送液部
【図１】
2014161701.tif 000003
【図２】
2014161701.tif 000004
【図３】
2014161701.tif 000005
【図４】
2014161701.tif 000006
【図５】
2014161701.tif 000007
【図６】
2014161701.tif 000008